(57)【要約】一般的に複数の分析機器信号のそれぞれに対する閲覧可能低減バイトデータ表現を生成する、コンピュータ実装遠隔監視システムである。具体的には、複数の分析フローサイトメータ信号のそれぞれに対する閲覧可能低減バイトデータ表現を生成する、フローサイトメータ遠隔監視システムである。本発明は、デバイスの動作により生成された一連の静止画像を、電子的に撮像、記録、処理、記憶、伝送、または再構成するための、独創的なコンピュータ実装データ管理システムを提供し得る。
2011520102.tif 000002
【特許請求の範囲】
【請求項１】
フローサイトメータを遠隔監視する方法であって、
ａ）複数の分析粒子の少なくとも１つの粒子特性の変化に基づいて変動する該フローサイトメータからの信号を生成するステップと、
ｂ）該信号を、該複数の分析粒子の該少なくとも１つの粒子特性の変化の閲覧可能データ表現に連続的に変換するように、該フローサイトメータに連結された第１のコンピュータで該信号を分析するステップと、
ｃ）該少なくとも１つのフローサイトメータからの該信号の分析において、ある量の遅延を生成することなく、該第１のコンピュータで、連続して、該複数の分析粒子の該少なくとも１つの粒子特性の変化の該閲覧可能データ表現の複数の時間制限データ表現ファイルを、第２のコンピュータに供給するステップと、
ｄ）第１の複数の低減バイトデータ表現ファイルを対応して生成するように、該供給された複数の時間制限データ表現ファイルを、該第２のコンピュータで処理するステップと、
ｅ）該第１の複数の低減バイトデータ表現ファイルの対応するファイルより少ないバイトをそれぞれが有する、第２の複数の低減バイトデータ表現ファイルを生成するように、該提供された複数の時間制限データ表現ファイルを、該第２のコンピュータで処理するステップと、
ｆ）該第２のコンピュータで、該第２の複数の低減バイトデータ表現ファイルの要求された部分を、第３のコンピュータに供給するステップと、
ｇ）該複数の分析粒子の該少なくとも１つの粒子特性の変化の閲覧可能低減バイトデータ表現を提供するように、該第３のコンピュータで、連続して、該第２の複数の低減バイトデータ表現ファイルの該部分のそれぞれを表示するステップと
を含む、方法。
【請求項２】
前記少なくとも１つのフローサイトメータからの前記信号の分析において、ある量の遅延を生成することなく、前記第１のコンピュータで、連続して、前記複数の分析粒子の前記少なくとも１つの粒子特性の変化の前記閲覧可能データ表現の複数の時間制限データ表現ファイルを、第２のコンピュータに供給するステップは、該少なくとも１つのフローサイトメータからの該信号の分析において、ある量の遅延を回避するように、該第１のコンピュータで、連続して、該複数の分析粒子の該少なくとも１つの粒子特性の変化の該閲覧可能データ表現の複数の時間制限データ表現ファイルを、第２のコンピュータに供給するステップを含む、請求項１に記載のフローサイトメータを遠隔監視する方法。
【請求項３】
前記少なくとも１つのフローサイトメータからの前記信号の分析において、ある量の遅延を生成することなく、前記第１のコンピュータで、連続して、前記複数の分析粒子の前記少なくとも１つの粒子特性の変化の前記閲覧可能データ表現の複数の時間制限データ表現ファイルを、第２のコンピュータに供給するステップは、該少なくとも１つのフローサイトメータからの該信号の分析において、ある量の遅延を低減するように、該第１のコンピュータで、連続して、該複数の分析粒子の該少なくとも１つの粒子特性の変化の該閲覧可能データ表現の複数の時間制限データ表現ファイルを、第２のコンピュータに供給するステップを含む、請求項１に記載のフローサイトメータを遠隔監視する方法。
【請求項４】
複数の分析粒子の少なくとも１つの粒子特性の変化に基づき変動する前記フローサイトメータからの信号を生成するステップは、複数の分析粒子のそれぞれに含有されるデオキシリボ核酸の量に基づき変動する該フローサイトメータからの信号を生成するステップを含む、請求項１に記載のフローサイトメータを遠隔監視する方法。
【請求項５】
複数の分析粒子のそれぞれに含有されるデオキシリボ核酸の量に基づき変動する、前記フローサイトメータからの信号を生成するステップは、Ｘ染色体の有無に基づき変動する、前記フローサイトメータからの信号を生成するステップを含む、請求項４に記載のフローサイトメータを遠隔監視する方法。
【請求項６】
複数の分析粒子のそれぞれにおけるデオキシリボ核酸の量に基き変動する、少なくとも１つのフローサイトメータからの信号を生成するステップは、Ｙ染色体の有無に基づき変動する信号を生成するステップを含む、請求項５に記載のフローサイトメータを遠隔監視する方法。
【請求項７】
前記複数の分析粒子は、複数の精細胞を含む、請求項６に記載のフローサイトメータを遠隔監視する方法。
【請求項８】
前記閲覧可能データ表現は、前記複数の精細胞内のＸ染色体保有精細胞の頻度に基づき変動する、少なくとも１つのヒストグラムを含む、請求項７に記載のフローサイトメータを遠隔監視する方法。
【請求項９】
前記閲覧可能データ表現は、前記複数の精細胞内のＹ染色体保有精細胞の頻度に基づき変動する、少なくとも１つのヒストグラムを含む、請求項７に記載のフローサイトメータを遠隔監視する方法。
【請求項１０】
ウシ、ヒツジ、ウマ、シカ、イヌ、ネコ、ブタ、齧歯類、クジラ、イルカ、ウサギ、ゾウ、サイ、および霊長類から成る群より選択される雄哺乳動物から、前記複数の精細胞を得るステップをさらに含む、請求項７に記載のフローサイトメータを遠隔監視する方法。
【請求項１１】
前記複数の分析粒子の前記少なくとも１つの粒子特性の変化の前記閲覧可能データ表現の前記複数の時間制限データ表現ファイルは、前記複数の分析粒子の前記少なくとも１つの粒子特性の変化の前記閲覧可能データ表現の複数のビットマップイメージ表現を含む、請求項１に記載のフローサイトメータを遠隔監視する方法。
【請求項１２】
前記複数のビットマップ表現のそれぞれは、約３メガバイトから約６メガバイトのイメージファイルを含む、請求項１１に記載のフローサイトメータを遠隔監視する方法。
【請求項１３】
前記第１の複数の低減バイトデータ表現ファイルは、それぞれ約１００キロバイトから約２００キロバイトである第１の複数のイメージファイルを含む、請求項１に記載のフローサイトメータを遠隔監視する方法。
【請求項１４】
前記第１の複数の低減バイトデータ表現ファイルの対応するファイルより少ないバイトをそれぞれ有する、前記第２の複数の低減バイトデータ表現ファイルは、それぞれ約２キロバイトから約４キロバイトである第２の複数のイメージファイルを含む、請求項１３に記載のフローサイトメータを遠隔監視する方法。
【請求項１５】
前記第２のコンピュータで、前記第２の複数の低減バイトデータ表現ファイルの要求された部分を、第３のコンピュータに供給する前記ステップは、前記第２の複数の低減バイトデータ表現ファイルを、広域ネットワーク上で第３のコンピュータに供給するステップを含む、請求項１４に記載のフローサイトメータを遠隔監視する方法。
【請求項１６】
前記第３のコンピュータで、連続して、前記第２の複数の低減バイトデータ表現ファイルの前記部分のそれぞれを表示する前記ステップは、前記複数の分析粒子の前記少なくとも１つの粒子特性の変化の前記閲覧可能低減バイトデータ表現を閲覧するための速度を選択するステップをさらに含む、請求項１５に記載のフローサイトメータを遠隔監視する方法。
【請求項１７】
前記複数の分析粒子の前記少なくとも１つの粒子特性の変化の加速された閲覧可能低減バイトデータ表現を提供するように、前記第３のコンピュータで、連続して、前記第２の複数の低減バイトデータ表現ファイルの前記部分のそれぞれを表示するステップをさらに含む、請求項１６に記載のフローサイトメータを遠隔監視する方法。
【請求項１８】
前記複数の分析粒子の前記少なくとも１つの粒子特性の変化の減速された閲覧可能低減バイトデータ表現を提供するように、前記第３のコンピュータで、連続して、前記第２の複数の低減バイトデータ表現ファイルの前記部分のそれぞれを表示するステップをさらに含む、請求項１８に記載のフローサイトメータを遠隔監視する方法。
【請求項１９】
前記第２の複数の低減バイトデータ表現ファイルの前記部分を、前記第３のコンピュータで表示するように選択するステップをさらに含む、請求項１６に記載のフローサイトメータを遠隔監視する方法。
【請求項２０】
前記第２の複数の低減バイトデータ表現ファイルの前記部分を、前記第３のコンピュータで表示するように選択する前記ステップは、前記閲覧可能データ表現の第１の時点と第２の時点との間に生成される、前記第２の複数の低減バイトデータ表現ファイルの時間制限部分を選択するステップをさらに含む、請求項１９に記載のフローサイトメータを遠隔監視する方法。
【請求項２１】
それぞれが対応して複数の前記フローサイトメータのうちの１つと連結された複数の前記第１のコンピュータに接続された前記第２のコンピュータを備える、第１のローカルエリアネットワークを有する第１の場所を確立するステップをさらに含み、前記第２のコンピュータは、前記複数の前記第１のコンピュータのそれぞれにより供給される前記複数の時間制限データ表現ファイルに対応する、前記第１の複数の低減バイトデータ表現ファイルおよび前記第２の複数の低減バイトデータ表現ファイルの検索可能な記憶を可能にする、メモリ要素をさらに提供する、請求項１に記載のフローサイトメータを遠隔監視する方法。
【請求項２２】
複数の場所において、それぞれが対応して複数の前記フローサイトメータのうちの１つと連結された複数の前記第１のコンピュータに接続された前記第２のコンピュータをそれぞれ備える、対応する複数のローカルエリアネットワークを確立するステップをさらに含み、前記第２のコンピュータは、前記複数の前記第１のコンピュータのそれぞれにより供給される前記複数の時間制限データ表現ファイルに対応する、前記第１の複数の低減バイトデータ表現ファイルおよび前記第２の複数の低減バイトデータ表現ファイルの検索可能な記憶を可能にする、メモリ要素をさらに提供する、請求項２１に記載のフローサイトメータを遠隔監視する方法。
【請求項２３】
前記第１のローカルエリアネットワークは、前記第３のコンピュータをさらに含む、請求項２１に記載のフローサイトメータを遠隔監視する方法。
【請求項２４】
前記第１のローカルエリアネットワークおよび前記第３のコンピュータを含む広域ネットワークを提供するステップをさらに含む、請求項２２に記載のフローサイトメータを遠隔監視する方法。
【請求項２５】
前記複数のローカルエリアネットワークおよび前記第３のコンピュータのそれぞれを含む広域ネットワークを提供するステップをさらに含む、請求項２２に記載のフローサイトメータを遠隔監視する方法。
【請求項２６】
前記第１のローカルエリアネットワークの前記複数の第１のコンピュータのうちの１つにより供給される前記複数の時間制限データ表現ファイルに対応する、前記第２の複数の低減バイトデータ表現ファイルの一部を、前記広域ネットワーク上で選択的に検索するステップをさらに含む、請求項２５に記載のフローサイトメータを遠隔監視する方法。
【請求項２７】
前記第２のローカルエリアネットワークの前記複数の第１のコンピュータのうちの１つにより供給される前記複数の時間制限データ表現ファイルに対応する、前記第２の複数の低減バイトデータ表現ファイルの一部を、前記広域ネットワーク上で選択的に検索するステップをさらに含む、請求項２６に記載のフローサイトメータを遠隔監視する方法。
【請求項２８】
前記複数の分析粒子の前記少なくとも１つの粒子特性の変化の閲覧可能低減バイトデータ表現を提供するように、前記第３のコンピュータで、連続して、前記第２の複数の低減バイトデータ表現ファイルの前記部分のそれぞれを表示する前記ステップは、それぞれ選択可能に検索された、前記第２のローカルエリアネットワークの前記複数の第１のコンピュータのうちの１つにより供給される前記複数の時間制限データ表現ファイルに対応する前記第２の複数の低減バイトデータ表現ファイルの前記一部を、同時に表示するステップを含む、請求項２７に記載のフローサイトメータを遠隔監視する方法。
【請求項２９】
遠隔監視フローサイトメータであって、
ａ）少なくとも１つの粒子特性の変化に基づき変動する信号を生成するフローサイトメータと、
ｂ）前記フローサイトメータに連結された第１のコンピュータであって、前記第１のコンピュータは、前記フローサイトメータにより生成された前記信号を、前記複数の分析粒子の前記少なくとも１つの粒子特性の変化の閲覧可能データ表現に連続的に変換する、信号分析器を提供し、前記第１のコンピュータはさらに、前記少なくとも１つのフローサイトメータからの前記信号の分析において、ある量の遅延を生成することなく、前記複数の分析粒子の前記少なくとも１つの粒子特性の変化の前記閲覧可能データ表現の複数の時間制限データ表現ファイルを生成する、イメージ表現生成器を提供する、第１のコンピュータと、
ｃ）前記第１のコンピュータから供給される前記複数の時間制限データ表現ファイルの第１の複数の低減バイトデータ表現ファイルを対応して生成する、イメージプロセッサを提供する、前記第１のコンピュータに結合された第２のコンピュータであって、前記イメージプロセッサはさらに、前記第１の複数の低減バイトデータ表現ファイルの対応するファイルより少ないバイトをそれぞれ有する、前記第１のコンピュータから供給される前記複数の時間制限データ表現ファイルの第２の複数の低減バイトデータ表現ファイルを生成する、第２のコンピュータと、
ｄ）前記第２のコンピュータに対する前記第２の複数の低減バイトデータ表現ファイルの選択された部分の要求を生成する、低減バイトデータ表現選択要素を提供する、第３のコンピュータであって、前記第３のコンピュータはさらに、前記複数の分析粒子の前記少なくとも１つの粒子特性の変化の閲覧可能低減バイトデータ表現を提供するように、連続して前記第２の複数の低減バイトデータ表現ファイルの前記選択された部分を表示する、イメージ生成器を提供する、第３のコンピュータと
を備える、フローサイトメータ。
【請求項３０】
前記フローサイトメータからの前記信号は、複数の分析粒子のそれぞれに含有されるデオキシリボ核酸の量に基づき変動する、請求項２９に記載の遠隔監視フローサイトメータ。
【請求項３１】
前記信号は、Ｘ染色体の有無に基づき変動する、請求項３０に記載の遠隔監視フローサイトメータ。
【請求項３２】
前記信号は、Ｙ染色体の有無に基づき変動する、請求項３０に記載の遠隔監視フローサイトメータ。
【請求項３３】
前記閲覧可能データ表現は、前記複数の精細胞内のＸ染色体保有精細胞の頻度に基づき変動する、少なくとも１つのヒストグラムを含む、請求項３１に記載の遠隔監視フローサイトメータ。
【請求項３４】
前記閲覧可能データ表現は、前記複数の精細胞内のＹ染色体保有精細胞の頻度に基づき変動する、少なくとも１つのヒストグラムを含む、請求項３３に記載の遠隔監視フローサイトメータ。
【請求項３５】
前記複数の精細胞は、ウシ、ヒツジ、ウマ、シカ、イヌ、ネコ、ブタ、齧歯類、クジラ、イルカ、ウサギ、ゾウ、サイ、および霊長類から成る群より選択される雄哺乳動物から得られる、請求項３４に記載の遠隔監視フローサイトメータ。
【請求項３６】
前記複数の分析粒子の前記少なくとも１つの粒子特性の変化の前記閲覧可能データ表現の前記複数の時間制限データ表現ファイルは、前記複数の分析粒子の前記少なくとも１つの粒子特性の変化の前記閲覧可能データ表現の複数のビットマップイメージ表現を含む、請求項２９に記載の遠隔監視フローサイトメータ。
【請求項３７】
前記複数のビットマップ表現のそれぞれは、約３メガバイトから約６メガバイトのイメージファイルを含む、請求項３６に記載の遠隔監視フローサイトメータ。
【請求項３８】
前記第１の複数の低減バイトデータ表現ファイルは、それぞれ約１００キロバイトから約２００キロバイトである第１の複数のイメージファイルを含む、請求項３７に記載の遠隔監視フローサイトメータ。
【請求項３９】
前記第１の複数の低減バイトデータ表現ファイルの対応するファイルより少ないバイトをそれぞれ有する、前記第２の複数の低減バイトデータ表現ファイルは、それぞれ約２キロバイトから約４キロバイトである第２の複数のイメージファイルを含む、請求項３８に記載の遠隔監視フローサイトメータ。
【請求項４０】
その上で第３のコンピュータが前記第２のコンピュータに対する前記第２の複数の低減バイトデータ表現ファイルの選択された部分の要求を生成する、広域ネットワークをさらに備える、請求項３９に記載の遠隔監視フローサイトメータ。
【請求項４１】
前記第３のコンピュータは、前記複数の分析粒子の前記少なくとも１つの粒子特性の変化の前記閲覧可能低減バイトデータ表現を閲覧するための速度の選択を可能にする、前記イメージ生成器に連結された閲覧速度セレクタをさらに備える、請求項４０に記載の遠隔監視フローサイトメータ。
【請求項４２】
前記閲覧速度セレクタは、前記複数の分析粒子の前記少なくとも１つの粒子特性の変化の加速された閲覧可能低減バイトデータ表現の選択を可能にする、請求項４１に記載の遠隔監視フローサイトメータ。
【請求項４３】
前記閲覧速度セレクタは、前記複数の分析粒子の前記少なくとも１つの粒子特性の変化の減速された閲覧可能低減バイトデータ表現の選択を可能にする、請求項４２に記載の遠隔監視フローサイトメータ。
【請求項４４】
前記低減バイトデータ表現選択要素は、前記閲覧可能データ表現の第１の時点と第２の時点との間で生成された前記第２の複数の低減バイトデータ表現ファイルの時間制限部分の選択を可能にする、期間選択要素をさらに含む、請求項４３に記載の遠隔で監視さえるフローサイトメータ。
【請求項４５】
前記第１のコンピュータは、ローカルエリアネットワークにおける前記第２のコンピュータに結合する、請求項２９に記載の遠隔監視フローサイトメータ。
【請求項４６】
前記第１のコンピュータは、それぞれ複数のフローサイトメータのうちの１つに対応して連結された、複数の第１のコンピュータを含む、請求項４５に記載の遠隔監視フローサイトメータ。
【請求項４７】
前記イメージ生成器はさらに、前記複数のフローサイトメータのそれぞれに対する前記複数の分析粒子の前記少なくとも１つの粒子特性の変化の閲覧可能低減バイトデータ表現を提供するように、連続して前記第２の複数の低減バイトデータ表現ファイルの複数の前記選択された部分の同時表示を可能にする、同時イメージ表示要素を提供する、請求項４６に記載の遠隔監視フローサイトメータ。
【請求項４８】
前記ローカルエリアネットワークは、前記第３のコンピュータをさらに含む、請求項４７に記載の遠隔監視フローサイトメータ。
【請求項４９】
前記第３のコンピュータは、広域ネットワーク上で前記ローカルエリアネットワークに結合する、請求項４８に記載の遠隔監視フローサイトメータ。
【請求項５０】
前記広域ネットワークは、インターネットを含む、請求項４９に記載の遠隔監視フローサイトメータ。
【発明の詳細な説明】
【技術分野】
【０００１】
特許協力条約に基づく本国際特許出願は、２００８年５月２日に出願された米国特許出願第１２／１５１，１５６号の一部継続出願であり、その全体が本明細書に参照により援用される。
【０００２】
（Ｉ．技術分野）
概して、複数の分析機器信号のそれぞれに対する閲覧可能低減バイトデータ表現を生成するコンピュータ実装遠隔監視システムである。具体的には、複数の分析フローサイトメータ信号のそれぞれに対する閲覧可能低減バイトデータ表現を生成するフローサイトメータ遠隔監視システムである。
【背景技術】
【０００３】
（ＩＩ．背景）
フローサイトメトリーシステムは、複数の粒子の少なくとも１つを分析するために使用することができる。複数の粒子は、典型的には、精細胞、幹細胞、血球、細菌等の生物学的粒子の集団である。粒子の集団の分析は、粒子の集団および分析様式に依存して、毎秒約１０，０００粒子から毎秒約２００，０００粒子の分析速度で行うことができる。集団内の個々の粒子の分析は、１つ以上の粒子特性の有無またはその量に関連した情報を提供し得る。１つ以上の粒子特性の相対的な有無またはその量は、分析集団の個々の粒子を２つ以上の別個の粒子の部分集団に区分するための基準として使用することができる。次いで粒子の別個の部分集団は、粒子の主要集団から分離し、本明細書にさらに記載されるように粒子の別個の部分集団として単離することができる。
【０００４】
フローサイトメータデバイスの操作者は、フローサイトメータデバイスの操作に関する決断を下すために、閲覧可能データ表現の使用に依存する。フローサイトメータデバイスは、１時間に何億もの粒子を分析することができ、またさらに１時間に何百万もの細胞を保存することができるため、閲覧可能データ表現は、フローサイトメータの操作者に、継続的に更新される閲覧可能データ表現を示すように設計され得る。継続的に更新される閲覧可能データ表現は、分析粒子の集団の分画の分析データとともに、別個の分析間隔で更新されるフローサイトメータデバイスの操作パラメータを含む。例えば、閲覧可能データ表現は、直近１０秒の粒子分析データのヒストグラムの形式で、１００ミリ秒ごとに更新され得る。
【０００５】
フローサイトメータの操作者は、粒子分析および保存の手順およびパラメータの管理および制御両方のためだけでなく、流体ノズル、ビーム成形光学系および検出の光学焦点等のコンポーネントの３次元位置決定に関するフローサイトメータデバイスのハードウェア構成の制御のために、閲覧可能データ表現に依存する。フローサイトメータの操作者はまた、閲覧可能データ表現を使用せずに、液滴形成の速度、液滴形成に使用されるエネルギーの振幅および液滴ストリームに印加される電圧を制御することができるが、これらの種類の調整は、粒子集団の分析において行われている測定の規模および正確性を変化させ、またフローサイトメータの操作者に対し表示される閲覧可能データ表現を変化させる可能性がある。したがって、閲覧可能データ表現は、粒子分析およびフローサイトメータデバイスパラメータを調整するためにフローサイトメータの操作者により使用されるリアルタイム情報源を提供する。
【０００６】
フローサイトメータデバイスの操作中に生成される閲覧可能データ表現は、フローサイトメータの操作者により選択されるイメージ形式で生成することができ、これは特定のデータマスクおよびそのようなデータマスクを追加するデータセットの選択により構成することができ、典型的にはヒストグラムとして提供される。フローサイトメータデバイスにより生成される分析データは、フローサイトメータデバイスのメモリ要素により生データファイルとして収集および記憶され得るが、ある期間にわたり動作条件を評価する、動作条件を最適化するように分析およびハードウェアパラメータを調整する、またはソフトウェアもしくはハードウェア問題に対して動作条件のトラブルシューティングを行うためのフローサイトメータデバイスの操作は、閲覧可能データ表現の履歴および詳細の実質的部分またはすべてに対するアクセスを必要とし得る。しかしながら、フローサイトメータデバイス、または他の同様の分析デバイスの操作中に、閲覧可能データ表現の履歴および詳細の実質的部分を使用することは、ある特定の問題を生じ得る。
【発明の概要】
【発明が解決しようとする課題】
【０００７】
閲覧可能データ表現の履歴および詳細の実質的部分の使用に関する１つの実質的問題は、フローサイトメータデバイス（または同様の閲覧可能データ表現を提供するその他のデバイス）のコンピュータ処理能力の競合であり得るが、これは、ある特定の場合において、閲覧可能データ表現の中断されたまたは非連続的な表示として表れ得る、閲覧可能データ表現の遅延更新表示をもたらす。フローサイトメータデバイスに依存するある特定の場合には、記憶された閲覧可能データ表現にアクセスおよびそれを使用する試み、またはフローサイトメータデバイスの機能性を遠隔で制御する試みは、フローサイトメータデバイスの正常動作および粒子分析に干渉し得る。
【０００８】
別の実質的問題は、閲覧可能データ表現が、毎秒の画面およびファイル毎の秒数での、詳細のいくつかのユーザ定義量の範囲を決定するファイルに記憶されるという点であり得る。特にそのようなフローサイトメータデバイスが、イメージ、ビデオ、ヒストグラム、または、一連の静止画像の電子的撮像、記録、処理、記憶、伝送、および再構成の同様の技術の形式での閲覧可能データ表現に関連した大きなファイルサイズの使用に要求される速度での動作用に設計されていない、ＣＰＵ、ＲＡＭ、オペレーティングシステム（「ＯＳ」）、およびその他のプログラムのバージョンを備えている場合、これらのファイル管理およびデータ記憶要件は、個々のフローサイトメータデバイスのコンピュータ処理装置（「ＣＰＵ」）、読み取り専用メモリ（「ＲＡＭ」）、およびローカルメモリ記憶容量に過負荷を与える可能性がある。
【０００９】
別の実質的問題は、イメージファイルおよびビデオファイル等の形式での閲覧可能データ表現は、ローカルエリアネットワーク（「ＬＡＮ」）または仮想プライベートネットワーク（「ＶＰＮ」）のより狭いバンド幅で使用してＬＡＮの外のコンピュータに効果的に伝送するには、大きすぎる可能性があるという点であり得る。
【００１０】
別の実質的問題は、検索時に有用となるのに十分な解像度のレベルですべての時間的な閲覧可能データ表現に対しメモリに十分な記憶空間を提供する労力、時間およびコストが、記憶される閲覧可能データ表現の価値に比べて大きすぎる点であり得る。
【００１１】
別の実質的問題は、従来の閲覧可能データ表現を提供するための、イメージを撮像、記録、処理、記憶、伝送または再構成する従来の方法に拡張性がない点であり得る。例えば、閲覧可能データ表現を提供する従来の方法は、１つのフローサイトメータデバイスに関しては実用的であり得るが、単一の場所もしくはＬＡＮ環境、またはフローサイトメータデバイスの分散型ネットワーク、または広域ネットワーク（「ＷＡＮ」）環境において接続された複数の分散型ＬＡＮ環境において、複数のフローサイトメータデバイス、例えば５０個または１００個のフローサイトメータデバイス（またはさらに多数のデバイス）に対し閲覧可能データ表現を提供するという点では、不可能または実用的ではない可能性がある。
【課題を解決するための手段】
【００１２】
（ＩＩＩ．発明の開示）
したがって、本発明の広範な目的は、デバイスの動作により生成された一連の静止画像を、電子的に撮像、記録、処理、記憶、伝送、または再構成するための、独創的なコンピュータ実装データ管理システムを提供することであり得る。
【００１３】
本発明の第２の広範な目的は、閲覧可能低減バイトデータ表現の形式の一連の静止画像を、電子的に撮像、記録、処理、記憶、伝送、または再構成するための、独創的なコンピュータ実装データ管理システムを含むデバイスを提供することであり得る。
【００１４】
本発明の第３の広範な目的は、閲覧可能低減バイトデータ表現の形式で動作中に生成される一連の静止画像を、電子的に撮像、記録、処理、記憶、伝送、または再構成するための、独創的なコンピュータ実装データ管理システムを含むフローサイトメータデバイスを提供することであり得る。
【００１５】
本発明の第４の広範な目的は、離れた場所から１つ以上のデバイスを監視するために、デバイスの動作により生成された一連の静止画像を、電子的に撮像、記録、処理、記憶、伝送、または再構成するための、コンピュータ実装データ管理システムを使用する方法を提供することであり得る。
【００１６】
本発明の第５の広範な目的は、離れた場所から１つ以上のデバイスを監視するために、デバイスの動作により生成された一連の静止画像を、電子的に撮像、記録、処理、記憶、伝送、または再構成するための、コンピュータ実装データ管理システムを含むデバイスを製造する方法を提供することであり得る。
【００１７】
本発明の第６の広範な目的は、１つ以上のＬＡＮ環境において結合された対応する複数のフローサイトメータにより生成される複数の閲覧可能データ表現のそれぞれを、遠隔監視する方法を提供することであり得る。
【００１８】
当然ながら、本発明のさらなる目的は、明細書、図面、写真、および特許請求の範囲の別の領域にわたり開示される。
【図面の簡単な説明】
【００１９】
【図１】図１は、本発明の具体的な実施形態のハードウェア手段およびネットワーク手段のブロック図である。
【図２】図２は、本発明の別の具体的な実施形態のハードウェア手段およびネットワーク手段のブロック図である。
【図３】図３は、複数の粒子の分析および分類のための具体的なデバイスのブロック図である。
【図４】図４は、本発明の具体的な実施形態において使用可能なハードウェア手段のブロック図である。
【図５】図５は、本発明の具体的な実施形態において使用可能なハードウェア手段のブロック図である。
【図６】図６は、本発明の具体的な実施形態において使用可能なハードウェア手段のブロック図である。
【図７】図７は、本発明の具体的な実施形態により生成された低減バイトデータ表現の具体的な方法を示すブロック図である。
【図８】図８は、フローサイトメータを含む本発明の具体的な実施形態により生成された閲覧可能データ表現の図である。
【図９】図９は、複数のフローサイトメータを遠隔監視する本発明の具体的な実施形態により生成された、複数の閲覧可能低減バイトデータ表現の図である。
【発明を実施するための形態】
【００２０】
（Ｖ．発明を実施するための形態）
概して、複数の分析機器信号のそれぞれに対する閲覧可能低減バイトデータ表現を生成するコンピュータ実装遠隔監視システムである。具体的には、複数の分析フローサイトメータ信号のそれぞれに対する閲覧可能低減バイトデータ表現を生成するフローサイトメータ遠隔監視システムである。
【００２１】
全般的に図１〜図９を参照すると、本発明の機器またはフローサイトメータ遠隔監視システム（１）は、機能ブロックコンポーネント、スクリーンショット、および様々なプロセスステップで本明細書に記載され得る。そのような機能ブロックは、特定の機能を実行するように構成される任意の数のハードウェアまたはソフトウェアコンポーネントにより実現され得ることを理解されたい。例えば、本発明のフローサイトメータ遠隔監視システム（１）は、制限されることなく、１つ以上のマイクロプロセッサまたはその他の制御デバイスの制御下で様々な機能を実行し得る、メモリ要素、処理要素、論理要素、参照テーブル等として機能する様々な集積回路コンポーネントを使用してもよい。
【００２２】
同様に、本発明のソフトウェア要素は、データ構造、オブジェクト、プロセス、ルーチンまたは他のプログラミング要素の任意の組み合わせが実装されている様々なアルゴリズムまたはＢｏｏｌｅａｎを備えた、Ｃ、Ｃ＋＋、Ｊａｖａ（登録商標）、ＣＯＢＯＬ、ＰＥＲＬ、Ｌａｂｖｉｅｗ、または任意のグラフィカルユーザインターフェースプログラミング言語、拡張可能マークアップ言語（ＸＭＬ）、ＭｉｃｒｏｓｏｆｔのＶｉｓｕａｌ  Ｓｔｕｄｉｏ．ＮＥＴ、Ｖｉｓｕａｌ  Ｂａｓｉｃ等の、任意のプログラミングまたはスクリプト言語で実装され得る。さらに、本発明は、データ伝送、信号伝達、データ処理、ネットワーク制御等のための任意の数の従来の有線または無線技術を使用し得ることに留意されたい。
【００２３】
本明細書に示され説明される具体的な実装は、本発明の例示およびその最良の形態であり、決して本発明の範囲を限定することを意図しないことを理解されたい。実際には、簡潔にするために、従来のデータネットワーキング、アプリケーション開発ならびにシステム（およびシステムの個々の動作コンポーネントのコンポーネント）のその他の機能的側面は、本明細書においては詳細に説明されない可能性がある。さらに、本明細書に含有される様々な図に示される接続線は、様々な要素間の例示的な機能的関係または物理的連結を表すことを意図する。本発明のフローサイトメータ遠隔監視システム（１）の様々な実施形態において、多くの代替的または追加的な機能的関係または物理的結合が存在し得ることに留意されたい。
【００２４】
当業者に理解されるように、本発明は、データ処理の方法、データ処理システム、データ処理用デバイス、コンピュータプログラム製品等として具現化され得る。したがって、本発明は、完全にソフトウェアの実施形態、完全にハードウェアの実施形態、またはソフトウェアおよびハードウェアの両方の側面を組み合わせた実施形態の形式をとり得る。さらに、本発明は、記憶媒体内にコンピュータ可読プログラムコード手段を有するコンピュータ可読記憶媒体上のコンピュータプログラム製品の形式をとり得る。ハードディスク、ＣＤ−ＲＯＭ、光学記憶デバイス、磁気記憶デバイス、ＲＯＭ、フラッシュＲＡＭ等を含む、任意の好適なコンピュータ可読記憶媒体を使用することができる。
【００２５】
本発明は、本明細書において、本発明の様々な側面または実施形態に従い別個または組み合わせて使用可能なコンピュータプログラム、アプリケーション、またはモジュールを説明するために、フローサイトメータ遠隔監視システム（１）のスクリーンショット、ブロック図およびフローチャート図を参照して説明され得る。ブロック図およびフローチャート図の各機能ブロック、ならびにブロック図およびフローチャート図の機能ブロックの組み合わせは、それぞれ、コンピュータプログラム命令により実行され得ることが理解される。これらのコンピュータプログラム命令は、コンピュータまたはその他のプログラム可能なデータ処理装置上で実行される命令が、フローチャートブロック（複数を含む）で指定される機能を実行するように、汎用コンピュータ、特殊用途コンピュータまたはその他のプログラム可能データ処理装置上にロードして機械を形成し得る。
【００２６】
これらのコンピュータプログラム命令はまた、コンピュータ可読メモリに記憶された命令が、フローチャートブロック（複数を含む）で指定される機能を実行する命令手段を含む製造品を形成するように、コンピュータまたはその他のプログラム可能データ処理装置を特定の様式で機能させることができる。コンピュータプログラム命令はまた、コンピュータまたはその他のプログラム可能装置上で実行される命令が、フローチャートブロック（複数を含む）で指定される機能を実行するためのステップを提供するように、コンピュータまたはその他のプログラム可能データ処理装置上にロードして、コンピュータまたはその他のプログラム可能装置上で一連の動作ステップを実行させてコンピュータ実装プロセスを形成し得る。
【００２７】
したがって、ブロック図およびフローチャート図の機能ブロックは、指定された機能を実行するための手段の組み合わせ、指定された機能を実行するためのステップの組み合わせ、および指定された機能を実行するためのプログラム命令手段をサポートする。また、ブロック図およびフローチャート図の各機能ブロック、ならびにブロック図およびフローチャート図の機能ブロックの組み合わせは、指定された機能もしくはステップを実行する特殊用途ハードウェアベースコンピュータシステム、または特殊用途ハードウェアおよびコンピュータ命令の好適な組み合わせにより実装され得ることが理解される。
【００２８】
さらに、本発明のフローサイトメータ遠隔監視システム（１）の実施形態は、フローサイトメータ（２）の監視に関して説明され得るが、本発明はそのように限定されず、本発明のフローサイトメータ遠隔監視システム（１）のデータ管理機能およびイメージ管理機能は、これらに限定されないが、クロマトグラフ、分光器、コンピュータトポグラフ、コンピュータ断層撮影装置等、数多くの広範な機器の監視に関して使用することができる。本明細書に記載の本発明の実施形態の目的における「フローサイトメータ」という用語は、概して、流体のストリーム中に懸濁された微細粒子を計数、検査、または分類するように構成される任意のデバイスを意味し、そのような計数、検査または分類は、光学的または電子的検出装置を通過する単一の細胞の物理的または化学的特性の単一または複数パラメータ分析に基くことができる。フローサイトメータ（２）は、制限されない例として、分析のために粒子が取り込まれた流体の単一ストリーム、または、流体の各ストリームが分析のために粒子を含む流体の複数のストリームを提供するように構成することができ、それぞれのそのような流体ストリーム中の粒子は、それぞれ対応する１つのレーザデバイスにより放出され得るか、または単一レーザビームを１つの流体ストリームもしくは複数の流体ストリームの精査用に複数のレーザビームに分離することにより生成され得る、１つ以上のレーザビームにより精査される。各ストリームに対し光学的または電子的検出装置により生成された信号は、１つのプロセッサまたは並列の複数のプロセッサを使用して、独立した速度でデータの単一チャネルまたはデータの複数チャネルとして処理することができる。本発明のフローサイトメータ遠隔監視システム（１）の実施形態における使用に好適なフローサイトメータ（２）デバイスの制限されない例は、Ｄａｋｏ  Ｃｏｌｏｒａｄｏ，Ｉｎｃ．から入手可能なＭＯＦＬＯ（登録商標）ＳＸもしくはＭＯＦＬＯ（登録商標）ＳＸ  ＸＤＰフローサイトメータであってもよく、または、Ｉｃｙｔｅ、Ｂｅｃｔｏｎ  Ｄｉｃｋｉｎｓｏｎ、Ｃｙｔｏｐｅｉａ、Ｐａｒｔｅｃ等から入手可能なフローサイトメータであってもよいが、本発明はそのように限定されない。ある特定のフローサイトメータ（２）デバイスは、粒子の不均一混合物の分類のためのＦＡＣＳフローサイトメトリーに使用することができるが、本発明は、いかなる具体的な型または種類のフローサイトメータ（２）デバイスの使用にも限定されない。
【００２９】
本発明の目的において、本明細書では、範囲は、「約」１つの具体的値から「約」別の具体的値までとして表現され得る。そのような範囲が表現されている場合、別の実施形態は、１つの具体的値から他の具体的値までを含む。同様に、「約」という先行詞の使用により値が概数として表現されている場合、具体的な値が別の実施形態を形成することが理解される。さらに、範囲のそれぞれの端点は、他方の端点に関連して、および他方の端点とは独立して有効であることが理解される。
【００３０】
さらに、本発明の目的において、「１つ」の構成要素という用語は、その構成要素のひとつ以上を指し、例えば、「１つの閲覧可能データ表現」は、１つ以上のそれらの閲覧可能データ表現を指す。したがって、「１つ」、「１つ以上」および「少なくとも１つ」という用語は、本明細書において交換可能に使用され得る。さらに、「〜から成る群より選択される」という用語は、続くリスト中の要素のうちの１つ以上を指し、要素のうちの２つ以上の組み合わせを含む。
【００３１】
まず図１を中心に参照すると、ブロック図は、本発明のフローサイトメータ遠隔監視システム（１）の具体的な制限されない実施形態を実装するために使用され得る要素（各要素は以下でさらに説明される）の概要を示している。第１のコンピュータユーザ（２５）は、コンピュータキーボードのキーストロークまたはマウス等のコマンド入力デバイス（２３）を使用することにより、第１のコンピュータ（１６）の処理装置（１７）にコマンドを送り、コンピュータ操作命令をフローサイトメータ（２）（または他の型のコンピュータ制御デバイスもしくは機器）に送達する。フローサイトメータ（２）は、複数の粒子（５）の少なくとも１つの粒子特性（４）の量に基づき変動する信号（３）を生成することができる。信号（３）は、第１のコンピュータモニタ（２６）上で第１のコンピュータユーザ（２５）が閲覧できる分析信号の閲覧可能データ表現（２８）を生成するようにさらに機能し得る、第１のコンピュータ（１６）により分析され得る。
【００３２】
本発明の目的において、「閲覧可能データ表現」という用語は、限定されない例として、クロマトグラム、コンピュータ断層撮影像、ヒストグラム等を含む、コンピュータユーザ（２５）が閲覧できるデバイスにより生成されたデータの断続的に更新されるグラフ表示を意味する。特定の限定されない例として、複数の精細胞（９）のＸ染色体保有精細胞（１４）およびＹ染色体保有精細胞（１５）への分離を示すヒストグラム（２９）の形式を有する生成された閲覧可能データ表現（２８）を示す、図８を参照されたい。
【００３３】
第１のコンピュータユーザ（２５）は、フローサイトメータ（２）（または他のデバイスもしくは機器）の機能条件を理解するために、閲覧可能データ表現（２８）を閲覧することができる。第１のコンピュータ（１６）は、さらに、閲覧可能データ表現（２８）の複数の時間制限データ表現ファイル（３５）を生成するように機能することができ、これは第１のコンピュータ（１６）のメモリ要素（１８）に一時的に記憶され得る。
【００３４】
第２のコンピュータ（３７）は、複数の時間制限データ表現ファイル（３５）の一時的なコピーを、第２のコンピュータメモリ要素（４１）に検索可能に記憶される、第１の複数の低減バイトデータ表現ファイル（３９）および第２の複数の低減バイトデータ表現ファイル（４０）に変換するように機能する、イメージプロセッサ（３８）を提供することができる。第２のコンピュータ（３７）は、ＬＡＮ（５０）の一部として、要求に応じて、第１の複数の低減バイトデータ表現ファイル（３９）または第２の複数の低減バイトデータ表現ファイル（４０）のすべてまたは一部を、第３のコンピュータ（４２）にＷＡＮ（５２）上で供給することができる。
【００３５】
ここで具体的に図２を参照すると、これは、複数の時間制限データ表現ファイル（３５）の一時的なコピーを、ＬＡＮ環境における１つのフローサイトメータまたは複数のフローサイトメータの第２のコンピュータメモリ要素（４１）に検索可能に記憶される、第１の複数の低減バイトデータ表現ファイル（３９）および第２の複数の低減バイトデータ表現ファイル（４０）に変換する機能を提供するための専用のＬＡＮファイルサーバ（７８）を含む、第２のコンピュータ（３７）の一般的なハードウェア手段およびネットワーク手段の具体例を示している。実施形態は、さらに、ＬＡＮ環境における他の処理機能をサポートする第２のローカルファイルサーバ（７９）を提供することができる。実施形態は、さらに、複数の時間制限データ表現ファイル（３５）の一時的なコピーを、ＬＡＮ環境における１つのフローサイトメータまたは複数のフローサイトメータの第２のコンピュータメモリ要素（４１）に検索可能に記憶される、第１の複数の低減バイトデータ表現ファイル（３９）および第２の複数の低減バイトデータ表現ファイル（４０）に変換するＬＡＮファイルサーバ（７８）の機能をさらにサポートする、ＷＡＮファイルサーバ（８０）を提供することができる。
【００３６】
再び図１を中心に参照すると、第３のコンピュータ（４２）を操作している第３のコンピュータユーザ（８１）は、複数のＬＡＮ（５０）のうちの任意の１つの第２のコンピュータメモリ要素（４１）に検索可能に記憶された、第１の複数の低減バイトデータ表現ファイル（３９）または第２の複数の低減バイトデータ表現ファイル（４０）のすべてまたは一部を受信するよう要求を生成することができる。ファイルは、ＷＡＮ論理接続（５５）上で、ＷＡＮ通信デバイス（５６）を使用して第２のコンピュータ（３７）から伝送され得る。第３のコンピュータ（４２）により提供されるイメージ生成器（４５）は、第２のコンピュータ（３７）から伝送される第１の複数の低減バイトデータ表現ファイル（３９）または第２の複数の低減バイトデータ表現ファイル（４０）のすべてまたは一部の閲覧可能低減バイトデータ表現（４６）を生成することができ、これは、第３のコンピュータモニタ（４９）に表示され得る（例えば、複数のＬＡＮ（５０）のうちの任意の１つ以上の第２のコンピュータメモリ要素（４１）に検索可能に記憶された、複数の低減バイトデータ表現ファイル（３９）または第２の複数の低減バイトデータ表現ファイル（４０）のうちの対応する２つから生成される、閲覧可能低減バイトデータ表現（４６）を示す、精細胞のＸ染色体保有集団およびＹ染色体保有集団への分離を示すヒストグラムの形式での図９を参照されたい）。
【００３７】
ここで、図１および３を中心に参照すると、本発明のフローサイトメータ遠隔監視システム（１）のある特定の実施形態は、部分的にフローサイトメータ（２）を含むことができる。フローサイトメータ（２）は、複数の粒子（５）のうちの少なくとも１つの粒子特性（４）の変化に基く信号（３）（周波数、振幅、または周波数と振幅の両方が変動するアナログ、デジタルに変換されるアナログ、またはデジタルにかかわらず）を生成するように機能することができる。複数の粒子（５）は、細胞、精細胞、細胞小器官、染色体、デオキシリボ核酸（ＤＮＡ）、リボ拡散（ＲＮＡ）、ＤＮＡ断片、ＲＮＡ断片、タンパク質、タンパク質断片、ペプチド、オリゴヌクレオチド等の生物学的粒子であってもよいが、ビーズ、スチレンビーズ等の非生物学的粒子、または生物学的粒子の混合物、非生物学的粒子の混合物、または生物学的粒子と非生物学的粒子の混合物も含み得る。本発明の目的において、「少なくとも１つの粒子特性」という用語は、複数の粒子（５）の間で種類または量について変動する、流体ストリーム（６）に取り込まれた複数の粒子（５）の少なくとも一部に共通した、少なくとも１つの部分、成分、または異なるように改質された部分もしくは成分を意味する。
【００３８】
１つの限定されない例として、複数の粒子（５）は、複数の精細胞（９）であってもよく、少なくとも１つの粒子特性（４）は、複数の精細胞（９）のそれぞれに含まれるデオキシリボ核酸（「ＤＮＡ」）の量（１０）であってもよい。ＤＮＡの量（１０）は、複数の精細胞（９）の特定の１つがＸ染色体またはＹ染色体を含有するかどうかに基づき変動し得る。Ｘ染色体は、複数の精細胞（９）を得る雄哺乳動物にかかわらず、対応するＹ染色体よりも多くのＤＮＡの量（１０）を含有する。精細胞（９）は、例えば、ウシ、ヒツジ、ウマ、ブタ、シカ、イヌ、ネコ、齧歯類、クジラ、ウサギ、ゾウ、サイ、霊長類等を含む任意の雄哺乳動物から、またある特定の雄の非哺乳動物種から得ることができる。
【００３９】
ある特定の種類のフローサイトメータ（２）デバイスは、流体ストリーム（６）中で液滴（８）を生成するように振動するノズル（７）を出る流体ストリーム（６）中の複数の粒子（５）のそれぞれを取り込むように動作する。液滴（８）のそれぞれの断絶点の前に、流体ストリーム（６）中の複数の粒子（５）のそれぞれは、毎秒約１０，０００から毎秒約２００，０００の間の精査イベント速度を生成する精査手段（１１）を通過する。典型的には、精査手段（１１）は、複数の粒子（５）のそれぞれがそれを通過して落ちる、１つ以上のレーザビーム（１２）を含む。複数の粒子（５）のそれぞれの精査された粒子は、レーザビーム（複数を含む）による精査に応じて、ある量の光（１２Ａ）を吸収または放出する。例えば、ＤＮＡは、Ｈｏｅｃｈｓｔ３３３４２等の染料または蛍光色素で定量的に染色され得る。染色されたＤＮＡは、レーザビームによる精査に応じてある量の光（１２）を放出する。Ｘ染色体保有精細胞（１４）は、Ｙ染色体保有精細胞（１５）よりも多量の染色されたＤＮＡを含有するため、Ｘ染色体保有精細胞（１４）は、典型的には、Ｙ染色体保有精細胞（１５）よりも多量の光（１２Ａ）を放出する。
【００４０】
複数の粒子（５）のうちの精査された１つの粒子から放出されたある量の光（１２Ａ）は、光電子増倍要素（１３）により受容され得る。光電子増倍要素（１３）は、受容したある量の放出光（１２Ａ）を、ある量の放出光（１２Ａ）の変化に基づき対応して変動する信号（３）に変換する。フローサイトメータ（２）による複数の精細胞（９）の分析において、生成される信号（３）は、精査手段（１１）を通過する際にＸ染色体保有精細胞（１４）およびＹ染色体保有精細胞（１５）により生成されたある量の光（１２）の差に基づき変動し得る。
【００４１】
ここで、図１、２および４を中心に参照すると、フローサイトメータ（２）（またはその他の機器）は、処理装置（１７）と、メモリ要素（１８）と、メモリ要素（１８）を含むがこれに限定されない第１のコンピュータ（１６）のコンポーネントを、処理装置（１７）に動作可能に連結するバス（１９）とを有する第１のコンピュータ（１６）に連結され得る、統合され得る、またはそれを提供し得る。第１のコンピュータ（１６）は、フローサイトメータ（もしくはその他の機器）を操作するように機能するフローサイトメータコントローラ（もしくはその他の機器コントローラ）に命令を送達することができる、従来のコンピュータ、分散型コンピュータ、または他の任意の種類のコンピュータであってもよいが、本発明はそのように限定されない。処理装置（１７）は、限定されることなく、１つの中央処理装置（ＣＰＵ）、またはデジタル情報を処理するように並行して動作する複数の処理装置、またはデジタル信号プロセッサ（ＤＳＰ）およびホストプロセッサ等を含み得る。バス（１９）は、限定されることなく、メモリバスまたはメモリコントローラ、周辺バス、および様々なバスアーキテクチャのいずれかを使用したローカルバス等、いくつかの種類のバス構成のいずれかであり得る。メモリ要素（１８）は、限定されることなく、読み取り専用メモリ（ＲＯＭ）、またはランダムアクセスメモリ（ＲＡＭ）、またはその両方であってもよい。例えば起動中の第１のコンピュータ（１６）のコンポーネント間のデータの転送を補助するルーチンを含む、基本入力／出力システム（ＢＩＯＳ）（２０）は、ＲＯＭ内に記憶され得る。第１のコンピュータ（１６）は、さらに、ハードディスクからの読み取りおよびハードディスクへの書き込みのためのハードディスクドライブ、リムーバブル磁気ディスクからの読み取りまたはリムーバブル磁気ディスクへの書き込みのための磁気ディスクドライブ、ＣＤ  ＲＯＭまたはその他の光学媒体等のリムーバブル光ディスクからの読み取りまたはリムーバブル光ディスクへの書き込みのための光ディスクドライブを含み得る。
【００４２】
ハードディスクドライブ、磁気ディスクドライブ、および光ディスクドライブは、それぞれ、ハードディスクドライブインターフェース、磁気ディスクドライブインターフェース、および光ディスクドライブインターフェースによりバス（１９）に接続することができる。ドライブおよびそれらの関連したコンピュータ可読媒体は、コンピュータ可読命令、データ構造、プログラムモジュールおよび第１のコンピュータ（１６）のその他のデータの不揮発性記憶装置を提供する。第１のコンピュータ（１６）によりアクセス可能なデータを記憶できる任意の型のコンピュータ可読媒体、例えば磁気カセット、フラッシュメモリカード、デジタルビデオディスク、Ｂｅｒｎｏｕｌｌｉカートリッジ、ランダムアクセスメモリ（ＲＡＭ）、読み取り専用メモリ（ＲＯＭ）等が、本発明のフローサイトメータ遠隔監視システム（１）の実施形態において使用される第１のコンピュータ（１６）により提供され得ることが、当業者には理解され得る。
【００４３】
第１のコンピュータ（１６）は、さらに、オペレーティングシステム（２１）と、第１のコンピュータ（１６）の具体的な実施形態によりハードディスク、磁気ディスク、光ディスク、ＲＯＭ、ＲＡＭに記憶され得る、フローサイトメータコントローラおよび粒子分析アプリケーション（２２）とを含んでもよく、あるいは、フローサイトメータコントローラおよび粒子分析アプリケーション（２２）の機能性は、特定用途向け集積チップ（ＡＳＩＣ）もしくはファイルプログラマブルゲートアレイ（ＦＰＧＡ）等、またはこれらの組み合わせもしくは順列として実装され得る。
【００４４】
第１のコンピュータユーザ（２５）は、キーボードおよびマウス等のポインティングデバイス等の１つ以上のコマンド入力デバイス（複数を含む）（２３）により、第１のコンピュータ（１６）にコマンドおよび情報を入力することができる。その他のコマンド入力デバイス（２３）には、マイク、ジョイスティック、ゲームパッド、スキャナ等が含まれる。これらの、またはその他のコマンド入力デバイス（複数を含む）（２３）は、多くの場合、バス（１９）に連結され得るシリアルポートインターフェース（２４）を介して処理装置（１７）に接続されるが、パラレルポート、ゲームポート、またはユニバーサルシリアルバス（ＵＳＢ）等の他のインターフェースにより接続されてもよい。モニタ（２６）またはその他の型の表示デバイスもまた、ビデオアダプタ（５８）等のインターフェースを介してバス（１９）に接続され得る。モニタ（２４）に加え、第１のコンピュータ（１６）はさらに、スピーカーおよびプリンタ等の他の周辺出力デバイス（５９）を含み得る。
【００４５】
第１のコンピュータユーザ（２５）（または他のコンピュータユーザ）が、コマンドを使用して、フローサイトメータコントローラおよび粒子分析アプリケーション（２２）の少なくとも１つの機能、またはその他のプログラムもしくはその他のアプリケーション機能を起動または操作したときに、クリックイベントが生じるが、これは例えばモニタ（２６）上に表示されたコントロールアイコン上にポインタが位置している間に左マウスボタンを押すまたは離すことを含み得る。しかしながら、「クリックイベント」は、コントロールアイコン上にポインタが位置している間にマウスの左ボタンを押すまたは離すことに限定されない。むしろ、「クリックイベント」という用語は、本発明の目的において、それによりオペレーティングシステム（２１）の機能またはフローサイトメータコントローラおよび粒子分析アプリケーション（２２）が起動または実行される、第１のコンピュータユーザ（２５）による任意のコマンドの手法を広く包含し、１つまたは複数のコントロールアイコンのクリック可能な選択、音声コマンド、キーボードストローク（複数を含む）、マウスボタン、タッチスクリーン、タッチパッドによるか否かにかかわらない。
【００４６】
再び図１、２および４を中心に参照すると、第１のコンピュータ（１６）ならびにフローサイトメータコントローラおよび粒子分析アプリケーション（２２）は、部分的に、フローサイトメータ（２）により生成された信号（３）を、断続的または連続的に複数の分析粒子（５）の少なくとも１つの粒子特性（４）の変化の閲覧可能データ表現（２８）に変換する信号分析器（２７）を提供するように機能することができる。閲覧可能データ表現（２８）は、モニタ（２６）上に連続的もしくは断続的に表示することができ、または、１００ミリ秒等の短い時間間隔の経過後に更新される。限定されない例として、対応する複数の液滴（８）中の複数の精細胞（９）を精査するフローサイトメータ（２）に連結された信号分析器（２７）は、複数の精細胞（９）内で識別されるＹ染色体保有精細胞（１４）の頻度またはＸ染色体保有精細胞（１５）の頻度に基づき変動するヒストグラム（２９）の形式で、閲覧可能データ表現（２８）を生成し得る。信号分析器（２７）のある特定の実施形態は、さらに、それにより複数の粒子（５）が少なくとも１つの粒子特性（４）の有無または量に基づき分離、解析または分割され得る、パラメータおよび時限イベントを確立するように機能し得る。
【００４７】
限定されない例として、ＭＯＦＬＯ（登録商標）ＳＸ等のフローサイトメータ（２）を使用して、複数の粒子（５）を、少なくとも１つの粒子特性（４）に基づき別個の部分集合に分離または分類することができる。ノズル（７）から出た後、流体ストリーム（６）は、それぞれが複数の粒子（５）のうちの対応するそれぞれの粒子を含有する液滴（８）に分断され得る。流体ストリーム（６）中の複数の粒子（５）のそれぞれの上述の分析に基づき、液滴は、少なくとも１つの粒子特性（４）に基づき区分され、分析される液滴（８）のそれぞれに電荷（正か負かによらない）を印加し、次いで液滴（８）を一対の帯電板（３１）に通過させることで液滴（８）のそれぞれの軌道を偏向させることにより、分離され得る。正に帯電した液滴の軌道は、第１の容器（３２）に送達されるように変更することができ、または負に帯電した液滴の軌道は、第２の容器（３３）に送達されるように変更することができる。帯電していない液滴は偏向されず、第３の容器（３４）または廃棄ストリームに送達することができる。複数の精細胞（１０）の分離に関しては、複数の粒子集団（３０）は、第１の容器（３２）内に単離されたＸ染色体保有精細胞（１４）および第２の容器（３３）内に単離されたＹ染色体保有精細胞（１５）を含み得る。
【００４８】
再び図４を中心に参照すると、第１のコンピュータ（１６）は、さらに、閲覧可能データ表現（２８）の表示またはフローサイトメータ（２）の機能性の動作においてある量の遅延を生成することなく、複数の分析粒子（５）の少なくとも１つの粒子特性（４）の変化の閲覧可能データ表現（２８）の１つ以上の時間制限データ表現ファイル（３５）を生成し得るイメージ表現生成器（３４）を提供することができる。本発明の目的において、「遅延」という用語は、オペレーティングシステム（２１）の様々な部分、またはフローサイトメータコントローラおよび粒子分析アプリケーション（２２）、または処理装置（１７）によりサポートされるその他のプログラムもしくはアプリケーションによる競合に起因する、性能の低下または閲覧可能データ表現（２８）の生成における遅滞またはフローサイトメータ（またはその他の機器）の機能における遅滞を意味する。
【００４９】
典型的には、閲覧可能データ表現（２８）の複数の時間制限データ表現ファイル（３５）は、所定の速度で断続的に生成された、複数の分析粒子（５）の少なくとも１つの粒子特性（４）の変化の閲覧可能データ表現（２８）の、複数のビットマップイメージ（３６）またはスクリーンショットを含む。複数の時間制限データ表現ファイル（３５）のそれぞれが生成され得る所定の速度は、典型的には、約０．１秒から約５秒の間で可変調整可能であるが、その速度がフローサイトメータ（２）またはフローサイトメータ（２）の機能により生成される信号（３）の分析において遅延を生成しない限り、他のより小さいまたはより大きい所定の速度を選択することができる。時間制限データ表現ファイル（３５）は、第１のコンピュータ（１６）のメモリ要素（１８）に一時的に記憶され得る。典型的には、（一般に複数のビットマップ表現（３６）としての）複数の時間制限データ表現ファイル（３５）のそれぞれは、約３メガバイトから約６メガバイトのファイルを含むが、本発明はそのように制限されず、各ファイルはより小さいまたはより大きいバイト数を含み得る。
【００５０】
フローサイトメータ（２）（またはその他の分析デバイス）を備える第１のコンピュータ（１６）は、上述の複数の時間制限データ表現ファイル（３５）の獲得または生成に必要な機能性を提供しなくてもよい。その場合、小規模フトウェアアプリケーションの形態の時間制限データ表現ファイル生成器（２２Ａ）が、メモリ要素（１８）に記憶されてもよく、定期的に、上述のように閲覧可能データ表現（２８）を獲得するように機能し、第２のコンピュータ（３７）に転送され得る時間制限データ表現ファイル（３５）を提供することができる。
【００５１】
ここで、図５を中心に参照すると、本発明のフローサイトメータ遠隔監視システム（１）は、さらに、第１のコンピュータ（１６）に結合された第２のコンピュータ（３７）を含み得る。第２のコンピュータ（３７）は、第１のコンピュータ（１６）と同じまたは同様のハードウェア手段およびソフトウェア手段を提供することができるが、イメージプロセッサ（３８）を提供するように機能する十分なハードウェア手段およびソフトウェア手段とともに、メモリ要素（４１）のみが示されている。イメージプロセッサ（３８）は、第２のコンピュータ（３７）により要求された時に、第１のコンピュータ（１６）から供給された複数の時間制限データ表現ファイル（３５）のそれぞれに対応する第１の複数の低減バイトデータ表現ファイル（３９）を生成するように機能することができる。本発明の目的において、「低減バイトデータ表現ファイル」（３９）という用語は、対応する時間制限データ表現ファイルよりも小さいバイトのイメージファイルを含む。典型的には、複数の低減バイトデータ表現ファイルのそれぞれは、約１００キロバイトから約２００キロバイトを含む（ただし、本発明はそのように限定されず、各ファイルはより小さいまたはより大きいバイト数を含み得る）。一例として、低減バイトデータ表現ファイル（３９）は、ｊｐｅｇ．形式であってもよく、これは、例えば、第１のコンピュータ（１６）から第２のコンピュータ（３７）に転送される複数の時間制限イメージ表現ファイル（３５）の一形式であり得る、Ｗｉｎｄｏｗｓ（登録商標）  Ｂｉｔｍａｐ形式よりも実質的により少ないバイトを含む。
【００５２】
イメージプロセッサ（３８）は、第２のコンピュータ（３７）により要求された時に、第１のコンピュータ（１６）から供給された複数の時間制限データ表現ファイル（３５）の第２の複数の低減バイトデータ表現ファイル（４０）を生成するように機能することができ、それぞれ前記第１の複数の低減バイトデータ表現ファイル（３９）の対応するファイルよりも少ないバイトを有する。それぞれ第１の複数の低減バイトデータ表現ファイル（３９）の対応するファイルよりも小さいバイトを有する第２の複数の低減バイトデータ表現ファイル（４０）は、それぞれ、１つの限定されない例として、約２キロバイトから約４キロバイトのイメージファイルを提供し得る（ただし、本発明はそのように限定されず、各ファイルはより小さいまたはより大きいバイト数を含み得る）。ここでも、一例として、イメージファイルは．ｊｐｅｇ形式であってもよい。
【００５３】
第１の複数の低減バイトデータ表現ファイル（３９）および第２の複数の低減バイトデータ表現ファイル（４０）は、対応する複数の時間制限データ表現ファイル（３５）から並列に生成され得、または第２の複数の低減バイトデータ表現ファイル（４０）は、第１の複数の低減バイトデータ表現ファイル（３９）の対応する複数から生成され得る。第１の複数の低減バイトデータ表現ファイル（３９）および第２の複数の低減バイトデータ表現ファイル（４０）のそれぞれは、第２のコンピュータ（３７）の第２のコンピュータメモリ要素（４１）に検索可能に記憶され得る。
【００５４】
ここで、図８を中心に参照すると、フローサイトメータ（２）（または別の型のデバイスのその他の粒子分析アプリケーション）のフローサイトメータ粒子分析アプリケーション（２２）により生成された閲覧可能データ表現（２８）は、さらに、数値データ型の閲覧可能パラメータデータ要素（８２）を含み得る。限定されない例として、フローサイトメータ（２）のフローサイトメータ粒子分析アプリケーション（２２）の実施形態により生成された閲覧可能データ表現（２８）に関して、閲覧可能パラメータデータ要素（８２）は、試料数、操作者識別番号、日付、ドロップディレイ状態、温度状態、湿度状態、レーザ出力状態、ネットワーク状態、粒子分析開始時間、粒子分析停止時間、経過時間、イベント速度、合計イベント、粒子カウント、収集粒子パーセント、中断粒子パーセント、同時粒子パーセント等のうちの１つ以上を含み得る。これに関して、複数の分析粒子（５）が複数の精細胞（９）である場合、閲覧可能パラメータデータ要素（８２）は、さらに、現在の生細胞パーセント、平均生細胞パーセント、現在の死細胞パーセント、平均死細胞パーセント、現在の純度パーセント、平均純度パーセント、分類器ピア比較パーセント、ブルピア比較パーセント等を含み得る。閲覧可能データ表現（２８）に含まれる閲覧可能パラメータデータ要素（８２）は、イメージプロセッサ（３８）により、閲覧可能データ表現（２８）の一部として、上述のような複数の時間制限表現ファイル（３５）の対応するファイルの一部に変換され、次いで上述のような第１の複数の低減バイトデータ表現ファイル（３９）および第２の複数の低減バイトデータ表現ファイル（４０）の対応するファイルに変換され得る。
【００５５】
ここで図６を参照すると、本発明のフローサイトメータ遠隔監視システム（１）は、さらに、第３のコンピュータ（４２）を含み得る。第３のコンピュータ（４２）は、第１のコンピュータ（１６）と同じもしくは同様のハードウェア手段およびソフトウェア手段、または低減バイトデータ表現ファイル選択要素（４３）を提供するように機能する十分なハードウェア手段およびソフトウェア手段を提供することができるが、これは第１の複数の低減バイトデータ表現ファイル（３９）の選択された部分または第２の複数の低減バイトデータ表現ファイル（４０）の選択された部分の第２のコンピュータ（３７）に対する要求を生成するように機能し得る（選択された部分という用語は、第１または第２の複数の低減バイトデータ表現ファイル（３９）（４０）の１つまたはすべてを含み得る）。第１の複数の低減バイトデータ表現ファイル（３９）の選択された部分または第２の複数の低減バイトデータ表現ファイル（４０）の選択された部分は、第３のコンピュータメモリ要素（４４）に記憶され得る。第３のコンピュータ（４２）は、さらに、第１の複数の低減バイトデータ表現ファイル（３９）もしくは第２の複数の低減バイトデータ表現ファイル（４０）の選択された部分、またはその両方を連続して表示し、前記複数の分析粒子（５）の少なくとも１つの粒子特性（４）の変化の閲覧可能低減バイトデータ表現（４６）を提供するように機能するイメージ生成器（４５）を提供することができる。低減バイトデータ表現ファイル選択要素（４３）は、さらに、閲覧可能データ表現（２８）の第１の時点および第２の時点の間に生成された第１のまたは第２の複数の低減バイトデータ表現ファイル（３９）（４０）の時間制限部分の選択を可能にする、期間選択要素（４７）を含み得る。
【００５６】
第３のコンピュータ（４２）のイメージ生成器（４５）は、さらに、前記複数の分析粒子（５）の少なくとも１つの粒子特性（４）の変化の閲覧可能低減バイトデータ表現（４６）を閲覧するための閲覧速度の可変調整可能な選択を可能にするように機能し得る閲覧速度セレクタ（４８）を含み得る。イメージ生成器（４５）のある特定の実施形態に関して、閲覧速度セレクタ（４８）は、前記複数の分析粒子（５）の前記少なくとも１つの粒子特性の変化の閲覧可能低減バイトデータ表現（４６）が第３のコンピュータモニタ（４９）上に連続して表示され得る加速された速度の可変調整可能な選択を可能にする。イメージ生成器（４５）のある特定の実施形態に関して、閲覧速度セレクタ（４８）は、前記複数の分析粒子の前記少なくとも１つの粒子特性の変化の閲覧可能低減バイトデータ表現（４６）が第３のコンピュータモニタ（４９）上に連続して表示され得る減速された速度の可変調整可能な選択を可能にする。
【００５７】
ここで、図１を中心に参照すると、本発明のフローサイトメータ監視システム（１）のある特定の実施形態は、さらに、フローサイトメータ（２）および第１のコンピュータ（１６）（またはそれぞれ対応する複数の第１のコンピュータ（１６）に連結された複数のフローサイトメータ（２））と第２のコンピュータ（３７）との間のローカルエリアネットワーク論理接続（５３）を含む、ローカルエリアネットワーク（５０）（「ＬＡＮ」）を第１の場所（５１）に含み得る。これらの論理接続（５３）は、第１のコンピュータ（１６）もしくは第２のコンピュータ（３７）、またはその両方に連結された、もしくはその一部であるローカルエリアネットワーク通信デバイス（５４）により達成することができる。本発明のある特定の実施形態に関して、それぞれ複数の別個の場所（５１Ａ）に確立された複数のローカルエリアネットワーク（５０）があってもよい。
【００５８】
再び図１を中心に参照すると、本発明のフローサイトメータ遠隔監視システム（１）のある特定の実施形態は、さらに、第１の場所（５１）または複数の第１の場所（５１Ａ）のローカルエリアネットワーク（５０）とは別個の第２の場所（５６）に確立された第３のコンピュータ（４２）と、任意のローカルエリアネットワーク（５０）の第２のコンピュータ（３７）との間の通信を可能にする広域ネットワーク論理接続（５５）を含む、インターネット等の広域ネットワーク（５２）（「ＷＡＮ」）を含み得る。この構成により、第３のコンピュータ（４２）は、任意の第２のコンピュータ（４２）から、第２のコンピュータメモリ要素（４１）からの複数の時間制限データ表現ファイル（３５）、複数のビットマップイメージ表現（３６）、第１の複数の低減バイトデータ表現ファイル（３９）、または第２の複数の低減バイトデータ表現ファイル（４０）のいずれか１つ、その一部、またはそのすべてを、上述のような表示および閲覧のために、第１のコンピュータ（１６）による少なくとも１つのフローサイトメータ（２）からの信号（３）の分析においてある量の遅延を生成することなく検索することができる。
【００５９】
ＷＡＮ（５２）に含まれる場合、第２のコンピュータ（３７）および第３のコンピュータ（４２）は、さらに、ＷＡＮ（５２）（例えばインターネット（５７））上での通信を確立するための、モデム等の広域ネットワーク通信デバイス（５６）を含み得る。広域ネットワーク通信デバイス（５６）は、第２のコンピュータ（３７）および第３のコンピュータ（４２）の内部または外部であってもよく、シリアルポートインターフェース（２４）を介してバス（１９）に接続され得る。ＷＡＮ（５２）環境において、第２のコンピュータメモリ要素（４１）は、ＷＡＮを介して第２のコンピュータ（３７）に連結された複数の第２のコンピュータメモリ要素（４１）を含み得るが、これは、複数の時間制限データ表現ファイル（３５）、複数のビットマップイメージ表現（３６）、第１の複数の低減バイトデータ表現ファイル（３９）、または第２の複数の低減バイトデータ表現ファイル（４０）のいずれか１つ、その一部、またはそのすべての分散型の検索可能な記憶を可能にする。示され説明されたＬＡＮ通信デバイス（５４）、ＷＡＮ通信デバイス（５６）、ＬＡＮ論理接続（５３）、およびＷＡＮ論理接続（５５）は例示であり、他のハードウェア手段または論理接続手段、および通信手段を使用して、第２のコンピュータ（１６）と第３のコンピュータ（４２）との間の通信リンクを確立し得ることが理解され得る。
【００６０】
上述の目的において、任意の第２のコンピュータ（３７）と任意の第３のコンピュータ（４２）との間のＷＡＮ接続性を提供する例としてではあるが、限定されない一例として、ＰＣエンジンＷＲＡＰｌＥ回路基板は、Ｖａｌｅｍｏｕｎｔ  Ｎｅｔｗｏｒｋｓ  ＳｔａｒＯＳルータソフトウェアを３２ｍｅｇ  Ｃｏｍｐａｃｔ  Ｆｌａｓｈ（ＣＦ）メモリカード上で実行し、中央ルータサーバに接続されたＶｉｒｔｕａｌ  Ｄｉｓｔｒｉｂｕｔｉｏｎ  Ｓｙｓｔｅｍ（ＶＤＳ）トンネル（仮想プライベートネットワークまたはＶＰＮに類似）を提供することができ、それぞれの第２のコンピュータ（３７）ローカルエリアネットワークは、クライアントとして、メイン中央ステーションサーバに接続し、ＷＡＮ全体のすべてのネットワークルーティングおよびクラスベースのキューイングを管理する。
【００６１】
図１〜６に示されるコンピュータ手段およびネットワーク手段は、最良の形態を含む本発明の実践に使用することができるが、本発明の最良の形態または本発明の任意の好ましい実施形態の説明は、これらに限定されないが、様々な順列および組み合わせでの、携帯情報端末またはカメラ／携帯電話、マルチプロセッサシステム、マイクロプロセッサベースまたはプログラム可能な家庭用電子機器、ネットワークＰＣ、ミニコンピュータ、メインフレームコンピュータ、ＰＬＣ等のハンドヘルドデバイスを含む、本発明の実施形態を実践するための広範な類似した、異なる、または同等のコンピュータ手段またはネットワーク手段の使用に関して限定することを意図しない。
【００６２】
ここで図５および７を中心に参照すると、第２のコンピュータ（３７）は、さらに、第２のコンピュータメモリ要素（４１）においてイメージファイルが検索可能に記憶されているメモリ空間を最小化するように、個別または集合的にかかわらず、複数の時間制限データ表現ファイル（３５）、第１の複数の低減バイトデータ表現ファイル（３９）、または第２の複数の低減バイトデータ表現ファイル（４０）を削除、修正、またはその他の様式でファイルサイズを低減するように機能する、イメージアーカイブ管理モジュール（６０）を含み得る。複数の時間制限データ表現ファイル（３５）のそれぞれのファイルは、第１の複数の低減バイトデータ表現ファイル（３９）の対応するファイルおよび第２の複数の低減バイトデータ表現ファイル（４０）の対応するファイルに変換され得る。第２の複数の低減バイトデータ表現ファイル（４０）のそれぞれのファイルは、第３のコンピュータ（４２）により要求されるまで、ＬＡＮ（５１）内の第２のコンピュータメモリ（４１）内に記憶され得、第１の複数の低減バイトデータ表現ファイル（３９）のそれぞれのファイルは、第３のコンピュータ（４２）に要求されるまで、またはイメージ解像度優先度（６２）を規定し、さらにイメージ時間値優先度（６３）を規定するように機能する、データ記憶最小化アプリケーション（６１）の機能により修正または削除されるまで、第２のコンピュータメモリ（４１）内に記憶され得る。
【００６３】
ここで図７を中心に参照すると、第１の複数の低減バイトデータ表現ファイル（３９）のそれぞれのファイル、および第２の複数の低減バイトデータ表現ファイル（４０）のそれぞれのファイルに関する、イメージ時間値優先度（６３Ａ）に対するイメージ解像度優先度（６２Ａ）をプロットしたグラフが示されている。図から理解され得るように、第１の複数の低減バイトデータ表現ファイル（３９）のそれぞれは、第１の複数の低減解像度低減バイトデータ表現ファイル（６４）に対応して変換することができ、第２の複数の低減バイトデータ表現ファイル（４０）のそれぞれは、第２の複数の低減解像度低減バイトデータ表現ファイル（６５）に対応して変換することができる。さらに、第１の複数の低減バイトデータ表現ファイル（３９）のいずれか１つ、第２の複数の低減バイトデータ表現ファイル（４０）のいずれか１つ、第１の複数の低減解像度低減バイトデータ表現ファイル（６４）のいずれか１つ、および第２の複数の低減解像度低減バイトデータ表現ファイル（６５）のいずれか１つは、異なる時間に再生することができ、次いで、経過時間とともにより低いイメージ時間値優先度（６３Ａ）が割り当てられた、イメージ時間値（それぞれ６６、６７、および６８；７２、７３、および７４；６９、７０、および７１；ならびに７５、７６、および７７）として漸進的に類別することができる。この場合、より高いイメージ時間値優先度（６３Ａ）（例えば６６、７２、６９、および７５）を有するイメージは、より低いイメージ時間値優先度（６３Ａ）（例えば６８、７４、７１、および７７）を有するイメージよりも、類別上重要となり得る。同様に、第１の複数の低減バイトデータ表現ファイル（３９）のいずれか１つ、第２の複数の低減バイトデータ表現ファイル（４０）のいずれか１つ、およびより低いイメージ値優先度（６３Ａ）を有するカテゴリーのいずれか１つは、より低いイメージ解像度値優先度（６２Ａ）のイメージとして漸進的に書き換えることができ、次いで、解像度の低減とともにより低いイメージ解像度値優先度（６２Ａ）を有するイメージ解像度値（７２、７５、７３、７６、７４および７７）として漸進的に類別することができる。
【００６４】
イメージ値カテゴリー（８２）の数は、制限されなくてもよいが、一般に１２個未満である。一般に、より低いイメージ時間値優先度（６３Ａ）を有するカテゴリー（例えば６８、７４、７１、および７７）もしくはより低いイメージ解像度値優先度（６２Ａ）を有するカテゴリー、またはより低いイメージ時間値優先度（６３Ａ）およびより低いイメージ解像度値優先度（６３Ａ）の両方を有するカテゴリー（例えば７４または７７）は、低コストのＷＡＮファイルサーバ（８０）（例えば図２を参照）上に記憶することができ、一方、より大きいイメージ時間値のファイル（例えば６６、７２、６９、および７５）は、専用ＬＡＮファイルサーバ（７８）または汎用ＬＡＮファイルサーバ（７９）（例えば図２を参照）の第２のコンピュータメモリ要素（４１）に記憶することができる。イメージファイルの同時削除および書き換えは、イメージ値カテゴリー（８２）を生成するデータ記憶最小化アプリケーション（６１）の機能により行うことができる。
【００６５】
上記から容易に理解され得るように、本発明のフローサイトメータ遠隔監視システム（１）の基本概念は、様々な手法で具現化され得る。したがって、説明により開示された、または本出願に付随する図もしくは表において示された本発明の具体的な実施形態または要素は、限定を意図するものではなく、一般的に本発明に包含される数々の多様な実施形態、または本発明の任意の具体的要素に関して包含される等価物の例示を意図する。さらに、本発明の単一の実施形態または要素の特定の説明は、すべての可能な実施形態または要素を明示的に説明していない可能性があり、説明および図により多くの代替例が黙示的に開示される。
【００６６】
装置の各要素または方法の各ステップは、装置に関する用語または方法に関する用語により説明され得ることを理解されたい。そのような用語は、本発明が対象となる黙示的に広い適用範囲を明確にするために望ましい場合は、置き換えられてもよい。一例としてであるが、方法のすべてのステップは、行為、その行為を行うための手段、またはその行為をもたらす要素として開示され得ることを理解されたい。同様に、装置の各要素は、物理的要素またはその物理的要素が促進する行為として開示され得る。一例としてであるが、「モニタ」の開示は、明示的に説明されているか否かにかかわらず、「監視する」という行為の開示を包含することを理解されたく、また逆に、「監視する」という行為が事実上開示されている場合、そのような開示は、「モニタ」、さらに「監視するための手段」の開示を包含することを理解されたい。各要素またはステップに対するそのような代替の用語は、説明に明示的に含まれることを理解されたい。
【００６７】
さらに、使用される各用語に関して、本開示におけるその使用がそのような解釈と一致しない場合、各用語に対し、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ、第２版に含まれているような一般的な辞書の定義が説明に含まれ、それぞれの定義は参照することにより本明細書に組み込まれることを理解されたい。
【００６８】
したがって、出願者（ら）は、少なくとも、ｉ）本明細書に開示および説明される遠隔監視デバイスのそれぞれ、ｉｉ）開示および説明される関連した方法、ｉｉｉ）これらのデバイスおよび方法のそれぞれの同様、等価、およびさらに黙示的な変形、ｉｖ）図示、開示、または説明される機能のそれぞれを達成するそれらの代替の実施形態、ｖ）開示および説明されるものを達成するための黙示的に示される機能のそれぞれを達成する、代替の設計および方法、ｖｉ）別個および独立した発明として示されるそれぞれの特徴、構成要素、およびステップ、ｖｉｉ）開示される様々なシステムまたは構成要素により向上される用途、ｖｉｉｉ）そのようなシステムまたは構成要素により製造される最終的な製品、ｉｘ）実質的に本明細書で付随する例のいずれかを参照して上述されるような方法および装置、ｘ）上で開示される要素のそれぞれの様々な組み合わせおよび順列を請求することを理解されたい。
【００６９】
本特許出願の背景技術の項は、本発明が関連する探求分野の説明を提供する。この項はまた、本発明が導かれる最新技術に関する関連情報、問題、または懸念において有用な、ある特定の米国特許、特許出願、出版物、または請求される発明の主題の言い換えを組み込むか、または含有し得る。本明細書において引用または援用される任意の米国特許、特許出願、出版物、説明またはその他の情報は、本発明に関する先行技術として認めるように解釈される、分析される、またはみなされることを意図しない。
【００７０】
本明細書に規定される請求項は、該当する場合、参照により本発明の本説明の一部として組み込まれ、出願者は、そのような請求項のそのような組み込まれた内容のすべてまたは一部を、請求項またはその要素もしくは構成要素の一部またはすべてを補助する追加的説明として使用する権利を明示的に有し、出願者はさらに、そのような請求項またはその要素もしくは構成要素の組み込まれた内容の一部またはすべてを、本出願により、あるいはその任意の後願または継続、分割もしくは一部継続出願により保護が求められる主題を定義するために、あるいは、任意の国または協定の特許法、規則、または規定の任意の利益、その料金の削減、またはそれへの準拠を得るために、必要に応じて請求項に移動させるかまたはその逆を行う権利を明示的に有し、参照により組み込まれるそのような内容は、その任意の後続する継続、分割もしくは一部継続出願またはそれに関する任意の再発行もしくは延長を含む、本出願の全継続期間中存続するものとする。
【００７１】
以下に記載の特許請求の範囲は、限られた数の本発明の好ましい実施形態の境界を説明することを意図し、本発明の最も広い実施形態または請求され得る本発明の実施形態の完全な一覧として解釈されないものとする。出願人は、上に記載される説明に基づき、任意の継続、分割、もしくは一部継続出願、または同様の出願の一部として、さらなる請求項を考案するいかなる権利も放棄しない。
【図１】
2011520102.tif 000003
【図２】
2011520102.tif 000004
【図３】
2011520102.tif 000005
【図３Ａ】
2011520102.tif 000006
【図４】
2011520102.tif 000007
【図５】
2011520102.tif 000008
【図６】
2011520102.tif 000009
【図７】
2011520102.tif 000010
【図８】
2011520102.tif 000011
【図９】
2011520102.tif 000012
【国際調査報告】
2011520102.tif 000013